(57)【要約】【課題】対物レンズと光記録媒体との衝突防止を低コストで実現可能であり、衝突防止部材が光記録媒体と衝突しても光記録媒体に傷及び汚れが発生し難い光ピックアップを提供する。【解決手段】光ピックアップ１は、光源と、前記光源からの光を光記録媒体の情報記録面に集光する対物レンズ１７と、対物レンズ１７を保持するレンズホルダ３２と、レンズホルダ３２に設けられて、光記録媒体と対物レンズ１７との衝突を防止する衝突防止部材３６と、を備える。衝突防止部材３６は、シート部材からなって、前記シート部材の厚み方向の側面が前記情報記録面と対向するようにレンズホルダ３２に配置される。【選択図】図１
2010097626.tif 000002
【特許請求の範囲】
【請求項１】
光源と、
前記光源からの光を光記録媒体の情報記録面に集光する対物レンズと、
前記対物レンズを保持するレンズホルダと、
前記レンズホルダに設けられて、前記光記録媒体と前記対物レンズとの衝突を防止する衝突防止部材と、を備える光ピックアップにおいて、
前記衝突防止部材は、シート部材からなって、前記シート部材の厚み方向の側面が前記情報記録面と対向するように前記レンズホルダに配置されることを特徴とする光ピックアップ。
【請求項２】
前記衝突防止部材は、前記衝突防止部材が配置される位置を基準として、前記厚み方向が前記光記録媒体の回転方向と略平行となるように前記レンズホルダに配置されることを特徴とする請求項１に記載の光ピックアップ。
【請求項３】
前記レンズホルダには、前記衝突防止部材を挿入して固定する固定部が形成されていることを特徴とする請求項１又は２に記載の光ピックアップ。
【請求項４】
前記固定部の側面には、前記衝突防止部材を接着固定するための切り欠き部が形成されていることを特徴とする請求項３に記載の光ピックアップ。
【発明の詳細な説明】
【技術分野】
【０００１】
本発明は光ピックアップに関し、詳細には、光源からの光を光記録媒体の情報記録面に集光する対物レンズと、光記録媒体と、の衝突を防止する衝突防止部材を備える光ピックアップの構成に関する。
【背景技術】
【０００２】
コンパクトディスク（以下、ＣＤという）やデジタル多用途ディスク（以下、ＤＶＤという）といった光記録媒体が普及している。更に、最近では、大容量の情報を記録できるブルーレイディスク（以下、ＢＤという）も実用化されている。このような光記録媒体から情報を読み取ったり、光記録媒体に情報を書き込んだりする場合には、光ピックアップが使用される。光ピックアップには、光源と、光源から出射される光を光記録媒体の情報記録面に集光する対物レンズと、情報記録面で反射された戻り光を受光する受光部と、が備えられる。
【０００３】
光ピックアップを用いて情報の読み取りや書き込みを行う場合、光記録媒体の面振れ等によらず光源から出射される光の焦点が常に光記録媒体の情報記録面に合うように、対物レンズの焦点位置を制御する必要がある。このため、従来、対物レンズをレンズホルダで保持し、このレンズホルダをアクチュエータによって光記録媒体に対して接離する方向に動かし、対物レンズと光記録媒体との位置関係が常に一定となるように制御している。以下、このような制御をフォーカスサーボ制御と表現する。
【０００４】
ところで、上述のＢＤのような大容量の情報を記録できる光記録媒体においては、情報が高密度に記録される。このために、光ピックアップを用いて情報の読み出し等を行う場合、光記録媒体上に形成する光スポットのスポットサイズを小さくする必要がある。光スポットのスポットサイズを小さくする方法としては、光源から出射される光の波長を短くするとともに、対物レンズの開口数を大きくすることが従来行われる。
【０００５】
対物レンズの開口数を大きくすると、光ピックアップの作動時に、対物レンズ先端と光記録媒体との間隔（ワーキングディスタンス；ＷＤ）が狭くなる傾向がある。このため、ＢＤに対応する光ピックアップにおいてはＷＤが狭くなる傾向にある。そして、このようにＷＤが狭くなると、例えば、面ぶれが大きい光記録媒体を用いた場合や、光記録媒体上に存在する傷や外部からの振動等が原因となってフォーカスサーボ制御ができなくなった場合等に、対物レンズと光記録媒体とが衝突する可能性が非常に高くなる。
【０００６】
なお、ＷＤが狭くなる状況は、ＢＤに対応する光ピックアップに限られるわけではなく、例えばＣＤやＤＶＤ等の光記録媒体に対応する光ピックアップにおいても起こる場合がある。すなわち、ノートパソコン等においては、薄型化が要求されるために、光ピックアップに備えられる対物レンズは小径のレンズとされる。このような小径の対物レンズを用いる場合にもＷＤが狭くなり、対物レンズと光記録媒体とが衝突する可能性が非常に高くなる。
【０００７】
このようなことから、従来、光ピックアップには、対物レンズと光記録媒体との衝突を防止するための衝突防止部材が設けられている（例えば、特許文献１、２参照）。そして、これによって、対物レンズと光記録媒体との衝突によって光記録媒体に記録される情報が使えなくなったり、対物レンズが損傷して光ピックアップが使用できなくなったりするのを防止している。
【０００８】
上記衝突防止部材は、光記録媒体と接触した場合に発生する摩擦力が小さいことが要求される。これは、衝突防止部材との衝突によって光記録媒体に損傷を与えないようにするためである。このため、従来、衝突防止部材の先端形状を球面形状に加工し、光記録媒体との接触時の接触面積を小さくしている（例えば特許文献１参照）。また、接触時の摩擦力を小さくする他の手法として、対物レンズより突出する突出部材の先端側にフッ素樹脂やポリイミド材料等の低摩擦材をコーティングすることが行われている（例えば特許文献１、２参照）。
【特許文献１】特開２００１−２０９９５６号公報
【特許文献２】特開２００１−２９７４７８号公報
【発明の開示】
【発明が解決しようとする課題】
【０００９】
しかしながら、上述した衝突時の摩擦力を小さくするためにコーティング膜を形成する構成は、突出部材とコーティング用の特殊組成の材料とを用意する必要がある。このため、対物レンズと光記録媒体との衝突を防止するために必要なコストが高くなるといった問題がある。
【００１０】
また、衝突防止部材の特性として、光記録媒体との衝突時に磨耗し難いことが要求される。しかしながら、衝突防止部材の材料として磨耗し難い材料（耐摩耗性の材料）を選択すると、上述のような球面形状の加工が難しくなる。このため、衝突防止部材として例えば特許文献１のような成型品を用いる場合には、耐摩耗性が確保できず、衝突時に衝突防止部材が磨耗して光記録媒体が汚れる場合があった。そして、光記録媒体が衝突防止部材の磨耗で汚れると、情報の読み取り等の品質が劣化するといった問題があった。
【００１１】
以上の点を鑑みて、本発明の目的は、対物レンズと光記録媒体との衝突防止を低コストで実現可能であり、衝突防止部材が光記録媒体と衝突しても光記録媒体に傷及び汚れが発生し難い光ピックアップを提供することである。
【課題を解決するための手段】
【００１２】
上記目的を達成するために本発明は、光源と、前記光源からの光を光記録媒体の情報記録面に集光する対物レンズと、前記対物レンズを保持するレンズホルダと、前記レンズホルダに設けられて、前記光記録媒体と前記対物レンズとの衝突を防止する衝突防止部材と、を備える光ピックアップにおいて、前記衝突防止部材は、シート部材からなって、前記シート部材の厚み方向の側面が前記情報記録面と対向するように前記レンズホルダに配置されることを特徴としている。
【００１３】
本構成によれば、シート部材の厚み方向の側面が光記録媒体の情報記録面と対向する構成となっている。このため、衝突防止部材としてシート部材を用いる場合でも、衝突防止部材と光記録媒体との接触面積を小さくできる。このため、接触時の摩擦力を小さくでき、光記録媒体に損傷が発生する可能性を低く抑えられる。また、衝突防止部材の形状がシート部材であるために、衝突防止部材の材質として耐摩耗性の材質を選択しやすい。このため、衝突防止部材と光記録媒体とが接触した場合に、衝突防止部材の磨耗によって光記録媒体が汚れる可能性を低く抑えることも可能となる。
【００１４】
上記構成の光ピックアップにおいて、前記衝突防止部材は、前記衝突防止部材が配置される位置を基準として、前記厚み方向が前記光記録媒体の回転方向と略平行となるように前記レンズホルダに配置されるのが好ましい。このようすれば、衝突防止部材と光記録媒体とが接触した場合でも、その接触時間を短時間とでき、衝突によって発生する摩擦力を低く抑えることができる。すなわち、衝突防止部材との接触によって光記録媒体に損傷等が発生する可能性を低く抑えられる。
【００１５】
また、上記構成の光ピックアップにおいて、前記レンズホルダには、前記衝突防止部材を挿入して固定する固定部が形成されているのが好ましい。このようにすれば、シート状の衝突防止部材をレンズホルダに固定配置し易く、衝突防止部材をレンズホルダに配置する際の作業性を良くできる。また、粘着材を用いて衝突防止部材をレンズホルダに固定する場合に比べて、衝突防止部材をレンズホルダの配置する際の高さ管理が容易となり、結果的に低コスト化を図れる。なお、固定部がレンズホルダと一体的に形成される構成とすれば、固定部を設ける構成としても、それによるコストアップがほとんど発生しないようにできる。
【００１６】
また、上記構成の光ピックアップにおいて、前記固定部の側面には、前記衝突防止部材を接着固定するための切り欠き部が形成されているのが好ましい。これにより、衝突防止部材を固定部に固定する作業が容易となる。
【発明の効果】
【００１７】
本発明の光ピックアップによれば、対物レンズと光記録媒体との衝突防止を低コストで実現可能である。また、本発明の光ピックアップによれば、衝突防止部材が光記録媒体と衝突しても光記録媒体に傷及び汚れが発生する可能性を低く抑えられる。
【発明を実施するための最良の形態】
【００１８】
以下、本発明の光ピックアップの実施形態について、図面を参照しながら詳細に説明する。
【００１９】
まず、本実施形態の光ピックアップの概略構成について、図１〜図３を参照しながら説明する。図１は、本実施形態の光ピックアップの構成を示す概略平面図である。図２は、本実施形態の光ピックアップが備える光学系の構成を示す概略図である。図３は、本実施形態の光ピックアップが備える対物レンズアクチュエータの構成を説明するための図で、図３（ａ）は対物レンズアクチュエータの全体構成を示す概略斜視図、図３（ｂ）は対物レンズアクチュエータが備えるコイルの構成を示す概略斜視図である。
【００２０】
図１に示すように、本実施形態の光ピックアップ１はスライドベース２を備える。このスライドベース２には、２種類の軸受け部２ａ、２ｂが設けられる。スライドベース２が、軸受け部２ａ、２ｂを用いて光ディスク（図示せず）の半径方向に延びる２本のガイドシャフト７１に摺動可能に支持されることにより、光ピックアップ１は半径方向に移動可能となる。なお、スライドベース２の移動は、図示しない公知の移動機構によって行われる。公知の移動機構の一例として、スライドベース２に取り付けられラックと、モータによって回転されるピニオンと、を用いる構成が挙げられる。
【００２１】
スライドベース２には、図２に示すような光学系が搭載されている。すなわち、スライドベース２上には、光源１１と、回折素子１２と、偏光ビームスプリッタ１３と、１／４波長板１４と、コリメートレンズ１５と、立上げミラー１６と、対物レンズ１７と、シリンドリカルレンズ１８と、光検出器１９と、が搭載される。なお、対物レンズ１７は、対物レンズアクチュエータ３に搭載された状態でスライドベース２上に搭載される。
【００２２】
光源１１は半導体レーザから成り、本実施形態の光ピックアップ１はＢＤ（光記録媒体の一例）対応とされているため、４０５ｎｍ帯のレーザ光を出射する半導体レーザが用いられている。なお、半導体レーザから出射される光の波長は、光ピックアップが対応する光ディスクの種類によって適宜変更される。回折素子１２は、光源１１から出射されたレーザ光を主光と２つの副光とに分ける。このように光源１１からの光を３つ光に分けるのは、サーボ制御を行う上で必要となる信号を得るためである。
【００２３】
偏光ビームスプリッタ１３は、１／４波長板１４と協働して光アイソレータの役目を果たす。すなわち、偏光ビームスプリッタ１３は、光源１１からのレーザ光については反射して光ディスク７０側へと導くが、光ディスク７０によって反射された戻り光については透過して光検出器１９側へと導く。
【００２４】
コリメートレンズ１５は、入射するレーザ光を平行光へと変換するレンズである。ただし、本実施形態の光ピックアップ１においては、コリメートレンズ１５は光軸方向（図２の左右を指す矢印の方向）に移動可能となっている。このため、光源１１から出射されてコリメートレンズ１５を出射するレーザ光は必ずしも平行光でなく、収束光であったり発散光であったりする。このようにコリメートレンズ１５の位置を調整可能とするのは、コリメートレンズ１５の位置を移動することによって対物レンズ１７に入射するレーザ光の収束状態或いは発散状態を調整して球面収差の補正を行うためである。
【００２５】
なお、コリメートレンズ１５を光軸方向に移動する手法は公知の構成で良い。例えば、コリメートレンズ１５を保持する可動ホルダを、光軸方向に延びるガイドシャフトに沿ってモータとリードスクリュ（いずれも図示せず）とを用いて動かす構成等とすることができる。
【００２６】
立上げミラー１６はコリメートレンズ１５から送られてきたレーザ光を反射する。これにより、光源１１から出射されたレーザ光は、その進行方向が曲げられ、光ディスク７０の情報記録面７０ａと直交する方向に進行する光となる。
【００２７】
対物レンズ１７は、立上げミラー１６から送られてきたレーザ光を光ディスク７０の情報記録面７０ａに集光する。上述のように対物レンズ１７は対物レンズアクチュエータ３に搭載されている。そして、この対物レンズアクチュエータ３によって、対物レンズ１７は、光ディスク７０に接離する方向（図２の上下方向）であるフォーカス方向と、光ディスク７０の半径方向と平行な方向（図２では紙面に対して垂直な方向）であるトラック方向と、に移動可能となっている。
【００２８】
図３を参照して、光ピックアップ１が備える対物レンズアクチュエータ３の構成について説明する。対物レンズアクチュエータ３は、アクトベース３１と、対物レンズ１７を保持するレンズホルダ３２と、を備える。アクトベース３１上には、レンズホルダ３２を挟んで対称配置となるように一対の永久磁石３３が立設されている。また、アクトベース３１には立上げミラー１６で反射されたレーザ光を対物レンズ１７へと導けるように光路孔（図示せず）が形成されている。
【００２９】
レンズホルダ３２には、対物レンズ１７を保持するためのレンズ保持部３２ａと、その詳細は後述する衝突防止部材３６を固定配置するための固定部３７と、が形成されている。また、レンズホルダ３２には、片側に３本ずつ、両側で計６本となるワイヤ３４の各一端が固定されている。各ワイヤ３４の他端は、アクトベース３１上に立設される回路基板３５に固定され、これにより、レンズホルダ３２はワイヤ３４によって揺動可能に支持された状態となっている。
【００３０】
更に、レンズホルダ３２には、レンズホルダ３２の内部側壁に沿って対物レンズ１７の光軸を取り巻くように配置されるフォーカスコイル３２１と、レンズホルダ３２の外部側壁（永久磁石３３と対向する側壁）の対称位置に、それぞれ２つずつ配置される４つのトラックコイル３２２と、が取り付けられている。これらのコイル３２１、３２２には、ワイヤ３４を介して電流が供給されるようになっている。
【００３１】
フォーカスコイル３２１に電流が流れると、永久磁石３３によって作られる磁界との電磁気的な作用によって、電流が流れる向き及び電流の大きさに応じて、対物レンズ１７はレンズホルダ３２と共にフォーカス方向Ｆに移動する。同様に、トラックコイル３２２に電流が流れると、その向き及び大きさに応じて、対物レンズ１７はレンズホルダ３２と共にトラック方向Ｔに移動する。
【００３２】
図２に戻って、情報記録層７０ａで反射された戻り光は、対物レンズ１７、立上げミラー１６、コリメートレンズ１５、１／４波長板１４、偏光ビームスプリッタ１３の順に通過して、シリンドリカルレンズ１８へと送られる。シリンドリカルレンズ１８は、入射したレーザ光に非点収差を与える。なお、シリンドリカルレンズ１８によって非点収差を与えるのは、サーボ制御を行う上で必要となる信号を得るためである。
【００３３】
シリンドリカルレンズ１８によって非点収差を与えられたレーザ光は光検出器１９の受光領域に集光する。光検出器１９は、受光領域で受光した光信号を電気信号に変化して出力する。光検出器１９から出力された電気信号は処理されて、例えば再生信号、フォーカスエラー信号、トラックエラー信号等となる。
【００３４】
なお、フォーカスエラー信号及びトラックエラー信号に基づいて対物レンズアクチュエータ３を制御して、フォーカスサーボ制御及びトラックサーボ制御といったサーボ制御が行われる。フォーカスサーボ制御は、上述したように、対物レンズ１７と光ディスク７０との位置関係が常に一定となるように行う制御のことである。また、トラックサーボ制御とは、対物レンズ１７に入射した光が集光されてできる光スポットが光ディスク７０に形成されるトラックに常に追随するように行う制御のことである。
【００３５】
本実施形態の光ピックアップ１の概略構成は以上のようであるが、本実施形態の光ピックアップ１は、対物レンズ１７と光ディスク７０との衝突を防止する構成について特徴を有する。以下、これについて詳細に説明する。
【００３６】
光ピックアップ１は、対物レンズ１７と光ディスク７０との衝突を防止できるように、対物レンズアクチュエータ３のレンズホルダ３２に衝突防止部材３６が設けられている（例えば図３（ａ）参照）。また、光ピックアップ１においては、衝突防止部材３６が２つ設けられている。そして、図１及び図３（ａ）に示すように、２つの衝突防止部材３６は、対物レンズ１７を挟んでトラック方向にほぼ対称的に配置されている。
【００３７】
図４は、光ピックアップ１が備える衝突防止部材３２の形状を示す概略斜視図である。図４に示すように、光ピックアップ１が備える衝突防止部材３２はシート部材からなっている。衝突防止部材３６を構成するシート部材は、光ディスク７０との衝突時に傷及び汚れをなるべく発生しない材質とするのが好ましい。具体的には、例えばポリカーボネート等で形成される光ディスク７０の保護層７０ｂ（図２参照；情報記録面７０ａを保護する層）よりも柔らかい材質であることが好ましい。また、光ディスク７０との衝突時に削れないような耐磨耗性を有する材質が好ましい。このような材質を有する材料の一例として、超高分子量ポリエチレン（ＵＨＭＷ−ＰＥ）が挙げられ、本実施形態では、衝突防止部材３６を構成するシート部材として超高分子量ポリエチレンを用いている。
【００３８】
衝突防止部材３６は、厚み方向ｄの側面３６ａが光ディスク７０の情報記録面７０ａ（光ディスク７０の表面とも言い換えられる）と対向するように配置されている。すなわち、シート部材の長手方向Ｌが上下方向と平行となるようにシート部材が立てられた状態で、衝突防止部材３６はレンズホルダ３２に配置されている。そして、対物レンズ１７と光ディスク７０とが衝突しないように、シート部材の長手方向Ｌの一部が対物レンズ１７の先端部よりも高くなっている。
【００３９】
レンズホルダ３２には、衝突防止部材３６を上述のように立てられた状態で固定できるように、シート状の衝突防止部材３６を挿入して固定する固定部３７が形成されている。図５は、レンズホルダ３２に形成される固定部３７の構成を示す概略斜視図である。図５に示すように固定部３７は、シート状の衝突防止部材３６を挿入するための直方体状の挿入孔３７１と、側面３７２の一部を切り欠いて形成される切り欠き溝３７３と、を有する。
【００４０】
本実施形態の光ピックアップ１においては、固定部３７はレンズホルダ３２と一体的に形成されている。また、上述のように衝突防止部材３６を２つ設ける構成であるために、固定部３７も２つ設けられ、２つの固定部３７は、レンズ保持部３２ａを挟んでトラック方向にほぼ対称配置となっている（図１及び図３参照）。なお、固定部３７は、挿入孔３７１の長手方向ｌ（図５参照）がトラック方向と平行となるように配置され、切り欠き溝３７３はトラック方向と平行な側面に形成されている（図３参照）。
【００４１】
図６は、本実施形態の光ピックアップ１において、衝突防止部材３６が固定部３７に挿入されて固定された状態を示す概略斜視図である。上述のように、衝突防止部材３６は厚み方向ｄの側面３６ａが光ディスク７０と対向するように立てられた状態で、固定部３７の挿入孔３７１に挿入される。この際、挿入孔３７１の長手方向ｌがトラック方向と平行であるため、挿入されたシート状の衝突防止部材３６の厚み方向ｄは、衝突防止部材３６が配置される位置を基準として考えた場合に、光ディスク７０の回転方向（図１及び図３（ａ）参照）と平行となる。挿入孔３７１に衝突防止部材３６が挿入されると、上部側、又は、上部側及び側面側から衝突防止部材３６を治具で抑えた状態で接着剤３８が切り欠き溝３７３の下部側に注入され、衝突防止部材３６は固定される。
【００４２】
なお、接着剤としては、例えばＵＶ照射により硬化するＵＶ接着剤等が使用される。また、治具で抑えた状態で固定するのは衝突防止部材３６の高さ方向のばらつきを抑制するためである。この際、治具で抑える方向は上部側からのみでも良いが、衝突防止部材３６の倒れ等を考慮して、上部側に加えて側面側（例えば切り欠き溝３７３を利用する）から抑えるのが好ましい。更に、衝突防止部材３６の固定部３７への取り付けは、レンズホルダ３２にワイヤ３４が取り付けられる前に行うのが、作業性が良く好ましい。
【００４３】
以上のように、衝突防止部材３６をレンズホルダ３２に配置した場合の効果について、図７を参照しながら説明する。なお、図７は、固定部３７に固定された衝突防止部材３６をトラック方向に沿って見た場合の側面図である。なお、図７においては、位置関係の理解を容易とするために光ディスク７０も合わせて示している。
【００４４】
図７に示すように、レンズホルダ３２に配置される衝突防止部材３６は、対物レンズ１７の先端部より所定の高さｔだけ高くなっている。このために、衝突防止部材３６の存在により対物レンズ１７と光ディスク７０との衝突を防止できる。一方、衝突防止部材３６は光ディスク７０と衝突することがある。しかし、衝突防止部材３６はシート部材からなり、厚み方向ｄの側面が光ディスク７０の情報記録面７０ａと対向し、且つ、厚み方向ｄと光ディスク７０の回転方向とがほぼ平行な関係となっている。この場合、両者の衝突面積を小さくできる共に接触時間も短くでき、発生する動摩擦力を小さくできる。このため、衝突防止部材３６と光ディスク７０とが接触しても光ディスク７０に損傷が発生する可能性は低い。また、衝突防止部材３６は耐摩耗性の材質で形成されているために、衝突防止部材３６と光ディスク７０とが接触しても光ディスク７０に汚れが発生する可能性は低い。
【００４５】
上記において、両者の衝突面積を小さくできる共に接触時間も短くできるとしている理由について説明を加えておく。この説明に先立って、従来の問題点についてまず整理する。従来は接触面積を小さくする構成として、例えば衝突防止部材の先端を球面形状としていた。しかし、接触時に光ディスクに汚れが発生しないためには、衝突防止部材として耐摩耗性の材料を使用することが好ましく、この材料を用いる場合、衝突防止部材を成型品とする（例えば上述のように球面形状とする）ことが困難となる。
【００４６】
このため、従来においては、耐摩耗性を有する材質で衝突防止部材を形成する場合には、シート部材を、その主面（厚み方向の側面ではなく、幅広の面）と光ディスクの情報記録面とが対向するように粘着材でレンズホルダや対物レンズに貼り付ける構成としていた。しかし、この構成ではシート部材の幅方向（図４のＬ及びＷ方向）の加工限界により、接触面積を小さくできないという問題があった。上記加工限界について、シート部材として超高分子量ポリエチレンを用いる場合を例に挙げると、０．７ｍｍ程度であった。
【００４７】
この点、本実施形態のように衝突防止部材３６となるシート部材を超高分子量ポリエチレンで構成する場合、厚み方向の厚さは０．２ｍｍ程度とできる。このために、本実施形態のように衝突防止部材３６を配置すると、従来のシート部材を用いた衝突防止部材の構成に比べて接触面積を小さくすることができる。そして、厚み方向ｄと光ディスク７０の回転方向とがほぼ平行な関係であるために、接触時間も従来に比べて短時間とできる。
【００４８】
なお、衝突防止部材を先端が球面形状の成型品とする場合と比べて接触面積及び接触時間は大きくなる場合があるが、本実施形態の構成では耐摩耗性を有する材質を用いることができる点で、光ディスクの汚れが起こり難いという利点を有する。すなわち、本実施形態の構成では、光ディスクの損傷と汚れの発生を同時に低減できる点で優れている。
【００４９】
また、本実施形態の構成では、衝突防止部材３６をシート部材としているが、固定部３７に挿入して接着剤で固定する構成であるために、従来のように粘着材を使用しない。このため、衝突防止部材３６の高さ管理を行い易く、作業性及びコスト面で優れる。更に、衝突防止部材３６の形状がシート状であり、加工が行い易くコスト面で優れる。
【００５０】
以上に示した実施形態は一例であり、本発明の光ピックアップは、上述の実施形態に限定されるものではなく、本発明の目的を逸脱しない範囲で種々の変更が可能である。
【００５１】
例えば、以上に示した実施形態においては、２つの衝突防止部材３６を配置する構成としているが、この構成に限定される趣旨ではない。すなわち、衝突防止部材３６の数は１つでも、３つ以上でも構わない。また、衝突防止部材３６のレンズホルダ３２上の位置についても適宜変更して構わない。ただし、衝突防止部材３６の数は偶数個とし、これらの衝突防止部材を対物レンズ或いはレンズホルダの中心に対して略対称な位置に配置するのが好ましい。これにより、衝突防止部材３６と光ディスク７０との衝突時にレンズホルダ３２が傾いて、例えば光ディスク７０と対物レンズ１７等が接触する可能性を低減できる。
【００５２】
また、以上に示した実施形態では、衝突防止部材３６の厚み方向ｄと光ディスク７０の回転方向とが略平行となる構成とした。この構成が好ましいが、必ずしも両者が略平行の関係になくても構わない。
【００５３】
また、以上に示した実施形態では、作業性の良さを考慮して固定部３７に設ける切り欠き溝３７３が上部から下部まで到達する構成とした。しかし、例えば図８に示すように、切り欠き溝３７３が上部から下部まで延びない構成としても構わない。その他、固定部３７の形状も種々の変更が可能で、シート状の衝突防止部材３６を固定できれば、他の構成でも構わない。
【００５４】
また、以上に示した実施形態においては、対物レンズアクチュエータ３の構成として、レンズホルダ３２がワイヤ３４に支持され、このワイヤ３４の揺動によってレンズホルダ３２が移動される構成（ワイヤ支持方式の対物レンズアクチュエータ）とした。しかし、対物レンズアクチュエータの構成は、この構成に限定されない。例えば、図９に示すような、いわゆる軸摺動型の対物レンズアクチュエータ１００等としてもよい。この場合にも、本実施形態と同様の構成の衝突防止部材を設けることによって、同様の効果が得られる。
【００５５】
なお、図９に示す対物レンズアクチュエータ１００は、ベース１０１と、摺動軸１０２と、対物レンズ１０５を保持するレンズホルダ１０３と、フォーカスコイル１０４と、を備える。そして、この対物レンズアクチュエータ１００では、図示しない永久磁石の磁界と、フォーカスコイルを流れる電流と、の間における電磁力作用によって、摺動軸１０２の長手方向と平行な方向に力が発生し、レンズホルダ１０３は摺動軸１０２に沿って摺動してフォーカス調整を行う。
【００５６】
その他、以上に示した実施形態では、光ピックアップは、一種類の光ディスクに対応するものを示したが、当然、複数種類の光ピックアップ（このようなものには、複数の対物レンズを搭載するレンズホルダを備えるものも含む）に対応する光ピックアップでも、本発明は適用できる。また、光ディスクの種類についても本実施形態の構成に限定されないのは言うまでもない。
【産業上の利用可能性】
【００５７】
本発明の光ピックアップによれば、衝突防止部材によって対物レンズと光記録媒体との衝突を防止できる。また、衝突防止部材と光記録媒体とが衝突しても、光記録媒体に傷や汚れが発生する可能性が低い。また、そのような衝突防止部材を低コストで設けることができる。従って、本発明は光ピックアップに好適な技術である。
【図面の簡単な説明】
【００５８】
【図１】は、本実施形態の光ピックアップの構成を示す概略平面図である。
【図２】は、本実施形態の光ピックアップの光学系の構成を示す概略図である。
【図３】は、本実施形態の対物レンズアクチュエータの構成を説明するための図である。
【図４】は、本実施形態の光ピックアップが備える衝突防止部材の形状を示す概略斜視図である。
【図５】は、本実施形態の光ピックアップに備えられるレンズホルダに形成される固定部の構成を示す概略斜視図である。
【図６】は、本実施形態の光ピックアップにおいて、衝突防止部材が固定部に挿入されて固定された状態を示す概略斜視図である。
【図７】は、固定部に固定された衝突防止部材をトラック方向に沿って見た場合の側面図である。
【図８】は、本実施形態の固定部の変形例を示す図である。
【図９】は、本実施形態の対物レンズアクチュエータの変形例を示す図である。
【符号の説明】
【００５９】
１  光ピックアップ
１１  光源
１７  対物レンズ
３２  レンズホルダ
３６  衝突防止部材
３６ａ  厚み方向の側面
３７  固定部
７０  光ディスク（光記録媒体）
７０ａ  情報記録面
３７２  固定部の側面
３７３  切り欠き溝（切り欠き部）
ｄ  厚み方向
【図１】
2010097626.tif 000003
【図２】
2010097626.tif 000004
【図３】
2010097626.tif 000005
【図４】
2010097626.tif 000006
【図５】
2010097626.tif 000007
【図６】
2010097626.tif 000008
【図７】
2010097626.tif 000009
【図８】
2010097626.tif 000010
【図９】
2010097626.tif 000011